(57)【要約】【課題】スプレー操作における管理の困難さがなく、またリンスと被洗浄面へのスプレーとの切替えという面倒な作業を不要とし、非常に操作性の良い吹付け洗浄方法の提供を目的とするものである。【解決手段】コンプレッサによる加圧状態において給水を２つの系統に分岐させ、１つの系統においては加圧した水を加温して高温とした高温水中に炭酸水素ナトリウムを添加しつつ、該炭酸水素ナトリウムを含んだ高温水を先端の吹付け用ノズルから被洗浄面へ吹付け、また他の系統においては加圧した水を先端の吹付け用ノズルから吹付けながら被洗浄面を水洗することにより、炭酸水素ナトリウムにより洗浄力を高めた高温の強アルカリ性洗浄液を被洗浄面へ吹付けて汚れを除去し、加圧した水による水洗によって洗浄液を温度低下させることにより弱アルカリ性として、洗浄液を廃棄しやすいようにしたことを特徴とする吹付け洗浄方法。【選択図】図１
2013099733.tif 000002
【特許請求の範囲】
【請求項１】
コンプレッサによる加圧状態において給水を２つの系統に分岐させ、１つの系統においては加圧した水を加温して高温とした高温水中に炭酸水素ナトリウムを添加しつつ、該炭酸水素ナトリウムを含んだ高温水を先端の吹付け用ノズルから被洗浄面へ吹付け、また他の系統においては加圧した水を先端の吹付け用ノズルから吹付けながら被洗浄面を水洗することにより、炭酸水素ナトリウムにより洗浄力を高めた高温の強アルカリ性洗浄液を被洗浄面へ吹付けて汚れを除去し、加圧した水による水洗によって洗浄液を温度低下させることにより弱アルカリ性として、洗浄液を廃棄しやすいようにしたことを特徴とする吹付け洗浄方法。
【請求項２】
前記加圧水の吹付け用ノズル、加温して高温とした高温水中に粉末状炭酸水素ナトリウムを添加する手段、および高温水の吹付け用ノズルのそれぞれに開閉弁が取り付けられており、炭酸水素ナトリウムによる洗浄作業および水洗作業を開閉弁の切り替えによって適宜行うことができるようにしたことを特徴とする請求項１に記載の吹付け洗浄方法。
【請求項３】
前記高温水中に適宜添加される炭酸水素ナトリウムが、粉末あるいは溶液状にて高温水中に添加されることを特徴とする請求項１または２に記載の吹付け洗浄方法。
【発明の詳細な説明】
【技術分野】
【０００１】
この発明は、温泉施設、住宅・店舗、外壁・擁壁、看板の落書除去等で使用される加圧型スプレー洗浄機の洗浄方法に関する。
【背景技術】
【０００２】
一般に、加圧型のスプレー式洗浄機による洗浄においては、水や水に種々の界面活性剤を配合した洗剤、あるいはこれらにアルカリビルダーを配合した洗剤が使用されているが、指頭で軽くこすればすぐ除去できるような汚れも除去できないのが現状である。
このため、アルカリビルダーを多量に配合した強アルカリ性洗剤を被洗浄面にかけ、汚れを浮き上がらせた後、高圧スプレーで洗浄する等の工夫をしているものの、充分な洗浄力は得られていない。
また、上記のような洗浄方法では、洗浄力が不充分であるとともに強アルカリ成分を多量排水することとなり、公害上大きな問題点となる。そして、これを防ぐには、中和してから排水できるような排水処理設備が必要となり、多額の設備がかかるとともに、洗浄機を固定しなければならない等の欠点がある。
【０００３】
一方、その他の洗浄方法として、加圧型スプレー洗浄機の洗浄剤の中に無機物、樹脂、その他の水に溶解しない粉体を配合し、被洗浄面へ吹付ける方法が知られている。
加圧型スプレー洗浄機において、粒子の物理的作用にて洗浄力が著しく高められることは公知であるが、洗浄後、水に溶解しない粉体が被洗浄面及び被洗浄面付近に付着、推積し、これらの処理が不可能なため、公害上、美観上、排水上の問題が大きく、使用されていないのが現状である。
【０００４】
そのため、特開平８−１６８７２９号公報に示されているように、水または一般の洗浄液を加圧状態で吹付け洗浄する際、粉末状炭酸水素ナトリウム又は粉末状有機酸を洗浄剤中に加え、溶解してしまわない時間内で被洗浄面にスプレーし、炭酸水素ナトリウムの粒子による物理的作用により洗浄力を高めるとともに、洗浄後にバルブを閉じて炭酸水素ナトリウムが混入されない状態で水又は洗浄液のみにてリンスすることにより、被洗浄面に残存する炭酸水素ナトリウムの粒子が水又は洗浄液に溶解して排出されるようにして、洗浄後は洗浄剤に溶解及び中和して排水されるようにした人体に安全で無公害な洗浄方法が提案されている。
【先行技術文献】
【特許文献】
【０００５】
【特許文献１】特開平８−１６８７２９号公報
【発明の概要】
【発明が解決しようとする課題】
【０００６】
しかしながら、水または一般の洗浄液を加圧状態で吹付け洗浄する際、粉末状炭酸水素ナトリウム又は粉末状有機酸を洗浄剤中に加え、溶解してしまわない時間内で被洗浄面にスプレーすることは極めて管理の困難なことがらである。
また、洗浄後にバルブを閉じて炭酸水素ナトリウムが混入されない状態で水又は洗浄液のみにてリンスするのは、このリンスと粉末状炭酸水素ナトリウム又は粉末状有機酸を含有する洗浄剤による被洗浄面へのスプレーとを頻繁に切り替えて作業を行う必要があり、非常に手間のかかる作業となっていた。
【０００７】
この発明は、従来例における粉末状炭酸水素ナトリウムが溶解してしまわない時間内で被洗浄面にスプレーするという管理の困難さがなく、また従来例における洗浄後にバルブを閉じて炭酸水素ナトリウムが混入されない状態で水又は洗浄液のみにてリンスすることに起因する、リンスと、粉末状炭酸水素ナトリウムを含有する洗浄剤による被洗浄面へのスプレーとを頻繁に切り替えるという手間のかかる作業を不要とし、非常に操作性の良い吹付け洗浄方法の提供を目的とするものである。
【課題を解決するための手段】
【０００８】
この発明の吹付け洗浄方法は従来例の上記課題を解決するために発明したものであり、コンプレッサによる加圧状態において給水を２つの系統に分岐させ、１つの系統においては加圧した水を加温して高温とした高温水中に炭酸水素ナトリウムを添加しつつ、該炭酸水素ナトリウムを含んだ高温水を先端の吹付け用ノズルから被洗浄面へ吹付け、また他の系統においては加圧した水を先端の吹付け用ノズルから吹付けながら被洗浄面を水洗することにより、炭酸水素ナトリウムにより洗浄力を高めた高温の強アルカリ性洗浄液を被洗浄面へ吹付けて汚れを除去し、加圧した水による水洗によって洗浄液を温度低下させることにより弱アルカリ性として、洗浄液を廃棄しやすいようにしたことを特徴とするものである。
【０００９】
この発明の吹付け洗浄方法は、前記加圧水の吹付け用ノズル、加温して高温とした高温水中に粉末状炭酸水素ナトリウムを添加する手段、および高温水の吹付け用ノズルのそれぞれに開閉弁が取り付けられており、炭酸水素ナトリウムによる洗浄作業および水洗作業を開閉弁の切り替えによって適宜行うことができるようにしたことをも特徴とするものである。
【００１０】
この発明の吹付け洗浄方法は、前記高温水中に適宜添加される炭酸水素ナトリウムが、粉末あるいは溶液状にて高温水中に添加されることをも特徴とするものである。
【発明の効果】
【００１１】
以上のようにこの発明の吹付け洗浄方法は、粉末状炭酸水素ナトリウムが溶解してしまわない時間内で被洗浄面にスプレーするという管理の困難さがなく、また洗浄後にバルブを閉じて炭酸水素ナトリウムが混入されない状態で水又は洗浄液のみにてリンスするため、リンスと、粉末状炭酸水素ナトリウム又は粉末状有機酸を含有する洗浄剤による被洗浄面へのスプレーとを頻繁に切り替えるという手間のかかる作業を不要として、操作性の極めて良好な吹付け洗浄方法を提供することが可能となった。
【図面の簡単な説明】
【００１２】
【図１】この発明の吹付け洗浄方法の１実施例の説明図である。
【発明を実施するための形態】
【００１３】
以下、この発明の吹付け洗浄方法の実施の形態を図１に基づいて詳細に説明する。
図１において、１１は水を加圧して後述の各吹付け用ノズルに給水するコンプレッサ、１２は前記コンプレッサ１１から給水された水を約１３０℃に加温するボイラーである。もちろんこの温度は適宜調整することができる。
前記加圧状態において給水するためのコンプレッサ１１は、２つの系統２１ａ，２１ｂに分岐させてあり、第１の系統２１ａにおいては加圧した水を、例えばホース２２先端に取り付けた吹付け用ノズル２３から吹付けながら、被洗浄面を水洗するようになっている。
【００１４】
第２の系統２１ｂは前記ボイラー１２に接続され、コンプレッサ１１によって加圧された水はこのボイラー１２によって約１３０℃に加温される。ここで加温された高温水は、例えばホース２４先端に取り付けた吹付け用ノズル２５から吹付けながら、被洗浄面を洗浄するようになっている。
【００１５】
図において２６は、前記吹付け用ノズル２５に供給される高温水中に炭酸水素ナトリウムを添加するための第３の系統２１ｃを構成するホースであり、この添加のための系統２１ｃへは炭酸水素ナトリウムが粉末あるいは溶液状にて強制添加される。
このような粉末あるいは溶液状の炭酸水素ナトリウムの使用に際しては、被洗浄面の汚れの種類や汚れの厚さ、その他の状況に応じて、適宜粉末あるいは溶液状を選択したり、その濃度を調整することが望ましい。
この強制添加は、前記吹付け用ノズル２５へ向かう高温水の流れに、ベルヌーイの定理で起きる負圧を利用して粉末あるいは溶液状の炭酸水素ナトリウムが吸引されるようにしたり、適宜の加圧手段で強制的に供給することによって行うことができる。
【００１６】
以上のようにして、前記炭酸水素ナトリウムを含んだ加圧した約１３０℃の高温水を先端の吹付け用ノズル２５から噴出させ、炭酸水素ナトリウムにより洗浄力を高めた蒸気混じりの強アルカリの高温水を被洗浄面へ吹付けることにより、強固な汚れを瞬時に除去することが可能となるのである。
加圧した高温の洗浄液による吹付け洗浄後は、加圧した水をホース２２先端に取り付けた吹付け用ノズル２３から吹付けながら被洗浄面を水洗する。前記強アルカリの洗浄液は、水洗によって温度が低下し、洗浄液を弱アルカリ性とすることができるので、洗浄液を廃棄しても何ら問題がない。
【００１７】
前記加圧水の吹付け用ノズル２３、高温水の吹付け用ノズル２５、および加温した高温水中に粉末状炭酸水素ナトリウムを添加するホース２６のそれぞれには開閉弁２７ａ，２７ｂ，２７ｃが取り付けられている。
したがって、下記のように操作することができる。
１）炭酸水素ナトリウムによる洗浄作業においては高温水の吹付け用ノズル２５の開閉弁２７ｂおよびホース２６の開閉弁２７ｃを開いて炭酸水素ナトリウム入りの高温水を吹付ける。
２）水洗作業においては吹付け用ノズル２３の開閉弁２７ａを開いて加圧水を吹付ける。
３）また高温水のみによる水洗作業も可能であり、その場合には吹付け用ノズル２５の開閉弁２７ｂは開き、ホース２６の開閉弁２７ｃを閉じることによって高温水のみを吹付ける。
以上の１）〜３）の操作は、好ましくは１）＋２）あるいは３）＋１）＋２）の組み合わせ等によって適宜行うことができる。もちろん、上記のメイン操作中に１）〜３）の各操作を適宜組み合わせて、あるいは個別に行うことができる。
【００１８】
上記実施例においては高温水に前記炭酸水素ナトリウム、すなわち重曹を添加する例を詳細に説明したが、重曹以外であっても、環境の負荷を掛けない洗浄剤であれば使用できることはもちろんである。
高温水に前記炭酸水素ナトリウム（重曹）を添加する量は、粉末状炭酸水素ナトリウムを添加するホース２６の開閉弁２７ｃを穴開きの円板弁を用いたものとして開口を絞ることができるようにし、その絞りによって開口の開閉量を調整することにより、添加量を調整すればよい。
したがって、円板弁のつまみの調整により、高温水に前記炭酸水素ナトリウム（重曹）の添加量を決めることができる。
【産業上の利用可能性】
【００１９】
この発明の吹付け洗浄方法は、前記温泉施設、住宅・店舗、外壁・擁壁、看板の落書除去等で使用できるばかりでなく、コイン洗車場、車体洗浄、食器洗浄等の適宜用途に使用することができる。
【符号の説明】
【００２０】
１１  コンプレッサ
１２  ボイラー
２１ａ，２１ｂ，２１ｃ  給水の系統
２２  ホース
２３  吹付け用ノズル
２４  ホース
２５  吹付け用ノズル
２６  ホース
２７ａ，２７ｂ，２７ｃ  開閉弁
【図１】
2013099733.tif 000003